【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
約５０℃以上の熱たわみ温度および約８０℃〜約１９０℃の融点を有する押出成形用の組成物であって、この押出成形用の組成物が、
ａ）約６０〜約９９．８％の部分結晶性または結晶性のポリ乳酸と、
ｂ）約０．０５〜約８％のシクロデキストリンと、
ｃ）約０．１〜約８％の天然油、脂肪酸、脂肪酸エステル、ワックス、ワックスエステルと、
ｄ）約０．０１〜約５％のナノ繊維と、
ｅ）約０〜約１０％の結晶化剤と、
ｆ）約０〜約１％のでんぷんベース溶融レオロジー改質剤と、
ｇ）約０〜約５％の着色剤と、
ｈ）約０〜約１％の可塑剤と、
ｉ）約０〜約１％の光沢剤と、
ｊ）約０〜約１％の遮断剤と
を含む押出成形用の組成物。
【請求項２】
請求項１に記載の押出成形用の組成物から形成された製品であって、任意に、前記製品が、ボトル、蓋、キャップ、密閉具、容器、パッケージおよびキャニスターからなる群から選択される製品。
【請求項３】
再生可能資源由来の押出成形用の組成物から形成される容器または容器用の密閉具であって、この容器または密閉具が、
ａ）約７０〜９５％の結晶性ポリ乳酸と、
ｂ）約０．０５〜８％のシクロデキストリンと、
ｃ）約０．１〜約８％の天然油、脂肪酸、脂肪酸エステル、ワックスまたはワックスエステルと、
ｄ）約０．０１〜約１０％の結晶化剤と、
ｅ）約０．０１〜１％の結晶遅延剤と、
ｆ）約０．０１〜約８％の着色剤と
を含む容器または密閉具。
【請求項４】
前記シクロデキストリンがβ−シクロデキストリンである請求項１に記載の組成物または請求項３に記載の容器もしくは密閉具。
【請求項５】
前記天然油が、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される請求項１に記載の組成物または請求項３に記載の容器もしくは密閉具。
【請求項６】
前記ナノ繊維が、シリカまたはセルロースの繊維に由来するものである請求項１に記載の組成物または請求項３に記載の容器もしくは密閉具。
【請求項７】
前記結晶化剤が、雲母、カオリン、クレイ、タルク、炭酸カルシウム、酸化アルミニウムおよびそれらの混合物からなる群から選択される請求項１に記載の組成物または請求項３に記載の容器もしくは密閉具。
【請求項８】
湿気レベルとして約０．０２％以下の水を含む請求項１に記載の組成物または請求項３に記載の容器もしくは密閉具。
【請求項９】
前記でんぷんベースの溶融レオロジー改質剤がクズウコンであり、任意に、前記押出成形用の組成物が、キャンデリアワックスまたはシアバターまたは両者をさらに含む請求項３に記載の容器または密閉具。
【請求項１０】
成形品を形成する方法であって、天然油、脂肪酸、脂肪酸エステル、ワックスまたはワックスエステルおよび／またはアルキルエステル可塑剤によってＰＬＡをコーティングするステップと、このコーティングされたＰＬＡをシクロデキストリンと混合するステップと、この混合物が０．２％以下の水を含むような湿気レベルにまで乾燥するステップと、この乾燥させた混合物を押出成形するステップと、この押出成形された組成物を製品に成形するステップとを含む方法。
【請求項１１】
前記ＰＬＡおよびそれに含有する粒子が、撹拌の使用によって、天然油、脂肪酸、ワックスまたはワックスエステル、脂肪酸エステル、および／またはアルキルエステル可塑剤でコーティングされる請求項１０に記載の方法。
【請求項１２】
前記組成を、約４〜約１２時間にわたって、約１６０°Ｆ〜約１８０°Ｆに加熱し、これによりナノ繊維、シクロデキストリン、結晶化剤、でんぷんベースのメルトレオロジー改質剤、および多糖類の結晶遅延剤を油により実質的に飽和させ、これにより前記シクロデキストリンを前記ＰＬＡポリマーマトリクス中に実質的に入れ、任意に、前記製品が、押出成形、注入成形またはブロー成形を使用して成形される請
【請求項１３】
前記シクロデキストリンがβ−シクロデキストリンである請求項１０に記載の方法。
【請求項１４】
前記ＰＬＡが、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される請求項１０に記載の方法。
【請求項１５】
前記混合物が、ナノ繊維、結晶化剤、でんぷんベースの溶融レオロジー改質剤、多糖類の結晶遅延剤および／または顔料をさらに含む請求項１０に記載の方法。 
【手続補正２】
【補正対象書類名】明細書
【補正対象項目名】０１０３
【補正方法】変更
【補正の内容】
【０１０３】
以上、本発明の実施形態を説明してきたが、この明細書で詳細に説明した特定の形態は、添付の特許請求の範囲で規定する本発明を限定するものでなく、それどころか、添付の特許請求の範囲で規定する本発明の精神および範囲を逸脱することなく種々の変形例が行い得ることを示すものであると理解すべきである。
（実施態様項１）
約５０℃以上の熱たわみ温度と、約８０℃〜１９０℃の融点とを有する押出成形用の組成物であって、この押出成形用の組成物が、
（ａ）約６０〜約９９．８％の部分結晶性または結晶性のポリ乳酸と、
（ｂ）約０．０５〜約８％のシクロデキストリンと、
（ｃ）約０．１〜約８％の天然油、脂肪酸、脂肪酸エステル、ワックスまたはワックスエステルと、
（ｄ）約０．０１〜約５％のナノ繊維と、
（ｅ）約０〜約１０％の結晶化剤と、
（ｆ）約０〜約１％のでんぷんベースのメルトレオロジー改質剤と、
（ｇ）約０〜約５％の着色剤と、
（ｈ）約０〜約１％の可塑剤と、
（ｉ）約０〜約１％の光沢剤と、
（ｊ）約０〜約１％の遮断剤と
を含む押出成形用の組成物。
（実施態様項２）
前記シクロデキストリンがβ−シクロデキストリンである実施態様項１に記載の押出成形用の組成物。
（実施態様項３）
前記天然油が、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される実施態様項１に記載の押出成形用の組成物。
（実施態様項４）
前記脂肪酸エステルが不飽和高級脂肪酸の重合生成物である実施態様項１に記載の押出成形用の組成物。
（実施態様項５）
前記不飽和高級脂肪酸エステルが、オレイン酸、リノール酸、ラウリン酸、ミリスチン酸、ステアリン酸、パルミチン酸、エイコサン酸、エレオステアリン酸、グリセロール等およびそれらの混合物からなる群から選択される実施態様項４に記載の押出成形用の組成物。
（実施態様項６）
付加的な可塑剤、耐衝撃性改良剤、付加の繊維強化材、抗酸化剤、抗菌剤、充填剤、ＵＶ安定剤、着色剤、ガラス遷移温度改良剤、融点改良剤および熱たわみ温度改質剤からなる群から選択される添加物をさらに含む実施態様項１に記載の押出成形用の組成物。
（実施態様項７）
前記ナノ繊維が、シリカまたはセルロースの繊維に由来するものである実施態様項１に記載の押出成形用の組成物。
（実施態様項８）
前記結晶化剤が、雲母、カオリン、クレイ、タルク、炭酸カルシウム、酸化アルミニウムおよびそれらの混合物からなる群から選択される実施態様項１に記載の押出成形用の組成物。
（実施態様項９）
湿気レベルとして約０．０２％以下の水を含む実施態様項１に記載の押出成形用の組成物。
（実施態様項１０）
前記でんぷんベースのメルトレオロジー改質剤がクズウコンである実施態様項１に記載の押出成形用の組成物。
（実施態様項１１）
前記可塑剤がカルボン酸エチルエステルである実施態様項１に記載の押出成形用の組成物。
（実施態様項１２）
前記カルボン酸エチルエステルがクエン酸トリエチルである実施態様項１１に記載の押出成形用の組成物。
（実施態様項１３）
実施態様項１に記載の押出成形用の組成物から形成された製品。
（実施態様項１４）
前記製品が、ボトル、蓋、キャップ、密閉具、容器、パッケージおよびキャニスターからなる群から選択される実施態様項１３に記載の製品。
（実施態様項１５）
前記製品が容器である実施態様項１３に記載の製品。
（実施態様項１６）
前記シクロデキストリンがβ−シクロデキストリンである実施態様項１５に記載の容器。
（実施態様項１７）
前記天然油が、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される実施態様項１５に記載の容器。
（実施態様項１８）
再生可能資源に由来する押出成形用の組成物から形成される容器であって、この容器が、
（ａ）約７０〜９５％の結晶性ポリ乳酸と、
（ｂ）約０．０５〜８％のシクロデキストリンと、
（ｃ）約０．１〜約８％の天然油、脂肪酸、脂肪酸エステル、ワックスまたはワックスエステルと、
（ｄ）約０．０１〜５％のナノ繊維と、
（ｅ）約０．０１〜１０％の結晶化剤と、
（ｆ）約０．０１〜１％のでんぷんベースのメルトレオロジー改質剤と、
（ｇ）約０．０１〜８％の着色剤と
を含む容器。
（実施態様項１９）
前記シクロデキストリンがβ−シクロデキストリンである実施態様項１８に記載の容器。
（実施態様項２０）
前記天然油が、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される実施態様項１８に記載の容器。
（実施態様項２１）
前記脂肪酸エステルが不飽和高級脂肪酸の重合生成物である実施態様項１８に記載の容器。
（実施態様項２２）
前記不飽和高級脂肪酸エステルが、オレイン酸、リノール酸、ラウリン酸、ミリスチン酸、ステアリン酸、パルミチン酸、エイコサン酸、エレオステアリン酸、グリセロール等およびそれらの混合物からなる群から選択される実施態様項２１に記載の容器。
（実施態様項２３）
可塑剤、耐衝撃性改良剤、付加の繊維強化材、抗酸化剤、抗菌剤、充填剤、ＵＶ安定剤、ガラス遷移温度改良剤、融点改良剤および熱たわみ温度改質剤からなる群から選択される添加物をさらに含む実施態様項１８に記載の容器。
（実施態様項２４）
前記ナノ繊維が、シリカまたはセルロースの繊維に由来するものである実施態様項１８に記載の容器。
（実施態様項２５）
前記結晶化剤が、雲母、カオリン、クレイ、タルク、炭酸カルシウム、酸化アルミニウムおよびそれらの混合物からなる群から選択される実施態様項１８に記載の容器。
（実施態様項２６）
湿気レベルとして約０．０２％以下の水を含む実施態様項１８に記載の容器。
（実施態様項２７）
前記でんぷんベースのメルトレオロジー改質剤がクズウコンである実施態様項１８に記載の容器。
（実施態様項２８）
前記可塑剤がカルボン酸エチルエステルである実施態様項１８に記載の容器。
（実施態様項２９）
前記カルボン酸エチルエステルがクエン酸トリエチルである実施態様項２８に記載の容器。
（実施態様項３０）
前記押出成形用の組成物が、キャンデリアワックスまたはシアバターまたはその両者をさらに含む実施態様項１８に記載の容器。
（実施態様項３１）
容器用の密閉具であって、前記容器および前記密閉具の両者が、再生可能資源に由来する押出成形用の組成物から形成されており、前記密閉具が、
（ａ）約７０〜９５％の結晶性ポリ乳酸と、
（ｂ）約０．０５〜８％のシクロデキストリンと、
（ｃ）約０．１〜約８％の天然油、脂肪酸、脂肪酸エステル、ワックスまたはワックスエステルと、
（ｄ）約０．０１〜１０％の結晶化剤と、
（ｅ）約０．０１〜１％の結晶遅延剤と、
（ｆ）約０．０１〜８％の着色剤と
を含む密閉具。
（実施態様項３２）
前記シクロデキストリンがβ−シクロデキストリンである実施態様項３１に記載の密閉具。
（実施態様項３３）
前記天然油が、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される、実施態様項３１に記載の密閉具。
（実施態様項３４）
前記脂肪酸エステルが、不飽和高級脂肪酸の重合生成物である実施態様項３１に記載の密閉具。
（実施態様項３５）
前記不飽和高級脂肪酸エステルが、オレイン酸、リノール酸、ラウリン酸、ミリスチン酸、ステアリン酸、パルミチン酸、エイコサン酸、エレオステアリン酸、グリセロール等およびそれらの混合物からなる群から選択される実施態様項３４に記載の密閉具。
（実施態様項３６）
前記シクロデキストリンがβ−シクロデキストリンである実施態様項３１に記載の密閉具。
（実施態様項３７）
可塑剤、耐衝撃性改良剤、付加の繊維強化材、抗酸化剤、抗菌剤、充填剤、ＵＶ安定剤、ガラス遷移温度改良剤、融点改良剤および熱たわみ温度改質剤からなる群から選択される添加物をさらに含む実施態様項３１に記載の密閉具。
（実施態様項３８）
前記ナノ繊維が、シリカまたはセルロースの繊維に由来するものである実施態様項３１に記載の密閉具。
（実施態様項３９）
前記結晶化剤が、雲母、カオリン、クレイ、タルク、炭酸カルシウム、酸化アルミニウムおよびそれらの混合物からなる群から選択される実施態様項３１に記載の密閉具。
（実施態様項４４）
湿気レベルとして、約０．０２％以下の水を含む実施態様項３１に記載の密閉具。
（実施態様項４５）
前記でんぷんベースのメルトレオロジー改質剤がクズウコンである実施態様項３１に記載の密閉具。
（実施態様項４６）
前記結晶遅延剤が、キサンタンガム、グアーガム、およびローカストビーンガムからなる群から選択される実施態様項３１に記載の密閉具。
（実施態様項４７）
前記押出成形用の組成物が、キャンデリアワックスまたはシアバターまたは両者をさらに含む実施態様項３１に記載の密閉具。
（実施態様項４８）
再生可能資源に由来する押出成形用の組成物から形成されたボトル、キャップまたは蓋であって、前記押出成形用の組成物が、シクロデキストリンと、天然油、脂肪酸、脂肪酸エステル、ワックスまたはワックスエステルでコーティングされたＰＬＡと、および／またはアルキルエステルの可塑剤と、多糖類の結晶遅延剤とを含むボトル、キャップまたは蓋。
（実施態様項４９）
前記天然油が、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される実施態様項４８に記載のボトル、キャップまたは蓋。
（実施態様項５０）
１μｍ以下の直径を有するナノシリカ繊維をさらに含む実施態様項４８に記載のボトル、キャップまたは蓋。
（実施態様項５１）
結晶化剤をさらに含む実施態様項４８に記載のボトル、キャップまたは蓋。
（実施態様項５２）
前記シクロデキストリンがβ−シクロデキストリンである実施態様項４８に記載のボトル、キャップまたは蓋。
（実施態様項５３）
前記多糖類の結晶性改質剤がキサンタンガムである実施態様項４８に記載のボトル、キャップまたは蓋。
（実施態様項５４）
成形品を形成する方法であって、天然油、脂肪酸、脂肪酸エステル、ワックスまたはワックスエステルおよび／またはアルキルエステル可塑剤によってＰＬＡをコーティングするステップと、このコーティングされたＰＬＡをシクロデキストリンと混合するステップと、この混合物が０．２％以下の水を含むような湿気レベルにまで乾燥するステップと、この乾燥させた混合物を押出成形するステップと、この押出成形された組成物を製品に成形するステップとを含む方法。
（実施態様項５５）
前記ＰＬＡおよびそれに含有する粒子が、撹拌の使用によって、天然油、脂肪酸、ワックスまたはワックスエステル、脂肪酸エステル、および／またはアルキルエステル可塑剤でコーティングされる実施態様項５４に記載の方法。
（実施態様項５６）
前記組成を、約４〜約１２時間にわたって、約１６０°Ｆ〜約１８０°Ｆに加熱し、これによりナノ繊維、シクロデキストリン、結晶化剤、でんぷんベースのメルトレオロジー改質剤、および多糖類の結晶遅延剤を油により実質的に飽和させ、これにより前記シクロデキストリンを前記ＰＬＡポリマーマトリクス中に実質的に入れる実施態様項５４に記載の方法。
（実施態様項５７）
前記製品が、押出成形、射出成形またはブロー成形を使用して成形される実施態様項５４に記載の方法。
（実施態様項５８）
前記シクロデキストリンがβ−シクロデキストリンである実施態様項５４に記載の方法。
（実施態様項５９）
前記ＰＬＡが、ラード、牛脂、魚油、コーヒー油、大豆油、ベニバナ油、アブラギリ油、トール油、キンセンカ油、菜種油、ピーナツ油、アマニ油、ゴマ油、グレープシード油、オリーブ油、ホホバ油、脱水ひまし油、牛脂油、ひまわり油、綿実油、トウモロコシ油、カノラ油、オレンジ油、およびそれらの混合物からなる群から選択される実施態様項５４に記載の方法。
（実施態様項６０）
前記アルキルエステル可塑剤がクエン酸トリエチルである実施態様項５４に記載の方法。
（実施態様項６１）
前記混合物が、ナノ繊維、結晶化剤、でんぷんベースのメルトレオロジー改質剤、多糖類の結晶遅延剤および／または顔料をさらに含む実施態様項５４に記載の方法。
（実施態様項６２）
前記製品が、ボトル、蓋、キャップ、容器、パッケージ、およびキャニスターからなる群から選択される実施態様項５３に記載の方法。